(57)【要約】【課題】  練習機能を備えたＩＣカード用紙幣積増機を提供する。【解決手段】  リーダ・ライタ部１２がＩＣカード置き台１０にセットされたＩＣカードから運用か練習用かの使用区分情報を読み込み、モード切替部９によってあらかじめ設定された使用モードと一致した場合に、運用モードまたは練習モードでの処理を行うようにした。制御部１３は、練習モードでは、積み増し額を指定する積増額ボタン２ａを釣り銭の発生しない金額のボタンのみ選択可能にし、投入する紙幣は、模擬紙幣ではなく本物の紙幣を使って練習でき、練習に使用した紙幣は、紙幣収納庫に収納せずに、積み増し額のデータをＩＣカードに書き込んだ後、返金するようにした。これにより、運用と練習用紙幣が混在することがないため、紙幣が混在することに起因する実際の紙幣枚数が運用時と練習時とで合わなくなるということがなくなる。【選択図】  図１
2005190258.tif 000002
【特許請求の範囲】
【請求項１】
運用か練習用かの使用区分情報を記憶したＩＣカードに対して投入紙幣の金額分を積み増しするＩＣカード用紙幣積増機において、
投入された紙幣を識別する紙幣鑑別部と、
使用モードを運用モードおよび練習モードに設定することができるモード切替部と、
セットされた前記ＩＣカードへの書き込み・読み込みをするリーダ・ライタ部と、
前記リーダ・ライタ部によって読み込まれた前記使用区分情報が前記モード切替部によって設定された前記使用モードと一致する場合にのみ投入紙幣による積み増し処理を行う制御部と、
を備えていることを特徴とするＩＣカード用紙幣積増機。
【請求項２】
前記制御部は、前記練習モードの終了時に、前記紙幣鑑別部によって識別された投入紙幣を返却するようにしたことを特徴とする請求項１記載のＩＣカード用紙幣積増機。
【請求項３】
積み増ししようとする金額を指定することができる複数の積増額ボタンを備え、
前記制御部は、前記練習モードのときに、前記積増額ボタンのうち紙幣の単一金種に対応した金額のボタンのみ選択できるようにしたことを特徴とする請求項１記載のＩＣカード用紙幣積増機。
【請求項４】
運用か練習用かの使用区分情報を記憶したＩＣカードに対して投入紙幣の金額分を積み増しするＩＣカード用紙幣積増方法において、
モード切替部の設定により使用モードを練習モードに変更し、
リーダ・ライタ部によって前記ＩＣカードに記憶された前記使用区分情報を読み込んで設定された前記使用モードと比較し、
前記使用区分情報と前記使用モードとが一致したときに紙幣積み増し額を積増額ボタンによって選択された金額に設定し、
投入された紙幣を紙幣鑑別部で識別し、
前記紙幣鑑別部で識別された紙幣の金額と設定された前記紙幣積み増し額とが一致したときに前記リーダ・ライタ部によって前記ＩＣカードに積み増しした金額のデータを書き込み、
前記紙幣鑑別部で識別された紙幣を返却する、
ステップからなることを特徴とするＩＣカード用紙幣積増方法。
【発明の詳細な説明】
【技術分野】
【０００１】
本発明はＩＣカード用紙幣積増機およびＩＣカード用紙幣積増方法に関し、特に公共交通機関、レジャー施設、流通システムなどで使用される非接触ＩＣカードに対して投入紙幣の金額分を積み増しするＩＣカード用紙幣積増機およびＩＣカード用紙幣積増方法に関する。
【背景技術】
【０００２】
近年、たとえば公共交通機関においては、運賃決済用の非接触型ＩＣカードが広く使用されようになってきている。ＩＣカードは、主として中央処理装置およびメモリを含むＩＣチップがカードに内蔵された記憶媒体であり、非接触型のものは、内部にアンテナを有し、ＩＣカードリーダ・ライタとの間で電波を通して電力の供給とデータのやり取りを行う。
【０００３】
このような運賃決済用のＩＣカードは、ＩＣカードリーダ・ライタによって、運賃決済用の金額データが書き込まれており、交通機関を利用するごとに利用金額分が残高から差し引かれる。このＩＣカードは、残高がなくなるか少なくなると、新たに、利用可能金額を積み増しすることができ、これによりＩＣカードの再利用を可能にしている。
【０００４】
このような積み増しができる装置として、たとえば、特許文献１に記載のような非接触ＩＣカードの積増機が知られている。この非接触ＩＣカード積増機は、紙幣処理部および硬貨処理部を有し、紙幣および硬貨が投入されると、その投入された紙幣および硬貨の金額に相当する積み増し額だけ利用可能残高を積み増しすることができる。また、特許文献２には、入金を紙幣に限定してコンパクトに構成したＩＣカード紙幣積増機が開示されている。
【０００５】
ところで、このようなＩＣカード紙幣積増機には、たとえば保守点検のときなどにおいて、積み増し動作を実際に行ってみるための練習機能は備わっていない。このため、従来のＩＣカード紙幣積増機において練習を行うには、模擬紙幣を使用して練習する第１の方法あるいは本物の紙幣を使用して練習する第２の方法にて対応していた。
【０００６】
第１の方法では、練習を行うために、本物の紙幣ではなく模擬紙幣を準備しておき、その模擬紙幣を用いて練習する。
第２の方法では、練習を行うために、練習用の紙幣を別途準備しておき、それを用いて練習する。そのとき、運用中の紙幣をＩＣカード紙幣積増機から一次的に借用して練習用の紙幣とし、それを用いて練習する。練習が終了すると、借用した練習用の紙幣をＩＣカード紙幣積増機へ返却する。
【特許文献１】特開２００１−９３００３号公報
【特許文献２】特開２００３−３６４６６号公報
【発明の開示】
【発明が解決しようとする課題】
【０００７】
しかしながら、従来のＩＣカード紙幣積増機では、それぞれの方法にて練習を行う場合において、以下のような問題があった。
模擬紙幣を使用する第１の方法の場合では、模擬紙幣用の紙幣処理部の設定が難しく、模擬紙幣の金種の区分ができず、一部の金種（たとえば千円札）のみでしか練習できないなど練習そのものに制限がある。
【０００８】
本物の紙幣を使用する第２の方法の場合では、練習用の紙幣収納庫を運用の紙幣収納庫とは別に設けるなどの対応も可能ではあるが、スペースをそのために余計に必要とするために、現実的ではなく、一般的には運用と同じ紙幣収納庫を使用することになる。したがって、同じ紙幣収納庫を使用するため、運用紙幣と練習用紙幣とが混在する可能性がある。そのため、運用と練習のモードを切り替える前に、取り扱い紙幣を明確にしておく必要がある。具体的には、紙幣収納庫にある紙幣を一時的に取り除く、あるいは、何の金種が何枚収納されているかを毎回確認・記録・管理する、あるいは、締めを行って収納紙幣を取り除き、その時点で一旦すべてリセットするなどの処理を行う必要があるので、取り扱いおよび紙幣の管理が煩雑であり、手軽に練習できないという問題点があった。
【０００９】
本発明はこのような点に鑑みてなされたものであり、練習機能を備えたＩＣカード紙幣積増機を提供することを目的とする。
【課題を解決するための手段】
【００１０】
本発明では上記問題を解決するために、運用か練習用かの使用区分情報を記憶したＩＣカードに対して投入紙幣の金額分を積み増しするＩＣカード用紙幣積増機において、投入された紙幣を識別する紙幣鑑別部と、使用モードを運用モードおよび練習モードに設定することができるモード切替部と、セットされた前記ＩＣカードへの書き込み・読み込みをするリーダ・ライタ部と、前記リーダ・ライタ部によって読み込まれた前記使用区分情報が前記モード切替部によって設定された前記使用モードと一致する場合にのみ投入紙幣による積み増し処理を行う制御部と、を備えていることを特徴とするＩＣカード用紙幣積増機が提供される。
【００１１】
このようなＩＣカード用紙幣積増機によれば、使用区分情報を記憶したＩＣカードをセットすると、制御部は、リーダ・ライタ部によって読み込まれた使用区分情報とモード切替部によって設定された使用モードとを比較し、それらが一致するときに、紙幣積み増しをすることができる。モード切替部が使用モードを練習モードに設定されていて、セットされたＩＣカードから練習用の使用区分情報が読み込まれると、ＩＣカード用紙幣積増機は練習モードで動作する。
【００１２】
ＩＣカード用紙幣積増機が練習モードで動作するときには、好ましくは、積み増しした金額のデータをＩＣカードに書き込んだ後に、投入された紙幣を収納することなく返却するようにして、練習モードで使用した紙幣が運用モードでの紙幣と混在しないようにするとよい。
【００１３】
また、練習モードでは、積み増ししようとする金額を指定することができる複数の積増額ボタンのうち、紙幣の単一金種に対応した金額のボタンのみ選択できるようにして釣り銭が発生しないようにするとよい。
【発明の効果】
【００１４】
本発明のＩＣカード用紙幣積増機は、運用モードと練習モードとを区分するモード切替部と、モード切替部が練習モードに設定し、リーダ・ライタ部がセットされたＩＣカードから練習用の使用区分情報を読み込んだときに練習用の積み増し処理を行う制御部とを設けたことにより、通常の運用による積み増し動作とは区別して練習による積み増し動作を行うことが可能になる。このため、練習モードのときには、練習用のＩＣカードヘの入金媒体を釣り銭の発生しない紙幣のみに限定したり、投入紙幣を紙幣収納庫に収納せずに返却するよう構成できるので、練習を行っても、ＩＣカード用紙幣積増機内には、運用と練習用の紙幣が混在することに起因する実際の紙幣枚数が合わなくなるということがなくなる。
【発明を実施するための最良の形態】
【００１５】
以下、本発明の実施の形態を図面を参照して詳細に説明する。
図１は本発明によるＩＣカード用紙幣積増機の構成を示すブロック図、図２は本発明によるＩＣカード用紙幣積増機の概観正面図である。
【００１６】
ＩＣカード用紙幣積増機１は、積み増しに関する操作入力および表示を行う操作表示部２を備え、この操作表示部２は、積み増し額を指定する積増額ボタン２ａと、積み増し操作を取り消すための取消ボタン２ｂと、領収書発行を指示する領収書ボタン２ｃと、ＩＣカード内の金額情報や操作上のメッセージを表示する液晶表示器（ＬＣＤ）２ｄとを有している。
【００１７】
ＩＣカード用紙幣積増機１は、また、紙幣が投入される紙幣入金口３と、投入された紙幣の真偽判定を行う紙幣鑑別部４と、紙幣の収納を行う紙幣収納庫５と、練習モードで使用された紙幣および釣り紙幣を出金する紙幣出金口６と、領収書情報を印字する印刷部７と、印字された領収書を出力する領収書発行口８と、運用か練習かの使用モードを設定するモード切替部９と、ＩＣカードを載置するＩＣカード置き台１０と、このＩＣカード置き台１０に載置されたＩＣカードに電磁誘導により電源を供給するとともに電波にてＩＣカードと通信を行うアンテナ１１と、ＩＣカードに記憶された情報を読み込んだりＩＣカードに情報を書き込むリーダ・ライタ部１２とを備えている。紙幣収納庫５は、金種に応じた金庫からなり、その内の最小額金種の金庫は、収納された紙幣を釣り銭としてリサイクルできるよう構成されている。
【００１８】
さらに、ＩＣカード用紙幣積増機１は、操作表示部２、紙幣鑑別部４、モード切替部９およびリーダ・ライタ部１２に接続されてそれらの制御を行う制御部１３と、電源部１４とを備えている。制御部１３は、図示しない中央処理装置と、このＩＣカード用紙幣積増機１を制御するプログラムを保持したり中央処理装置により実行されるプログラムや演算途中および演算結果のデータを保持するメモリ１３ａとを有している。また、その制御部１３は、ＩＣカード用紙幣積増機１を管理するためのサーバ１５と通信ができるように接続されている。
【００１９】
このような構成を有するＩＣカード用紙幣積増機１は、その概観を図２に示したように、正面のパネルに、積増額ボタン２ａと、取消ボタン２ｂと、液晶表示器２ｄと、領収書ボタン２ｃと、領収書発行口８と、ＩＣカード置き台１０と、紙幣入金口３と、紙幣出金口６が設けられており、内部には、たとえばその正面のパネルを開けるときに使用したキーにより、使用モードを切り替え設定することができるモード切替部９を備えている。積増額ボタン２ａとしては、積み増し額に応じたボタンが用意され、ここでは、たとえば千円、三千円、五千円、一万円用の４つのボタンが設けられている。
【００２０】
なお、使用するＩＣカードについては、内部メモリに運用か練習用かの使用区分情報を記憶する領域が設定されており、練習のときには、練習用の使用区分情報があらかじめ記憶されたＩＣカードを使用するものとする。また、ＩＣカード用紙幣積増機１については、その内部に設けられたモード切替部９により運用か練習用かをたとえばキー操作にて設定される。
【００２１】
ここで、通常の運用時の操作としては、ＩＣカード用紙幣積増機１のＩＣカード置き台１０にＩＣカードをセットし、積増額ボタン２ａで積み増し額を指定してから、紙幣入金口３から紙幣を挿入する。挿入された紙幣はその真偽判定を行う紙幣鑑別部４を通り、紙幣収納庫５に収納される。釣り銭がある場合、あるいは取消ボタン２ｂにより入金処理が取り消された場合には、紙幣出金口６より釣り銭紙幣または入金済みの紙幣が返却される。積増額ボタン２ａにより指定された相当額の紙幣が挿入されると、リーダ・ライタ部１２は、アンテナ１１を介してＩＣカード置き台１０にセットされたＩＣカードに対して積み増しされたデータの書き込み処理を行う。領収書ボタン２ｃが押下された場合には、印刷部７で取引内容が印刷された領収書が領収書発行口８より出力される。
【００２２】
また、練習時の操作としては、まず、ＩＣカード用紙幣積増機１の使用モードをモード切替部９により運用モードから練習モードに切り替えておく。練習モードでは、運用紙幣と練習用に用いた紙幣とが混在するのを避けるため、紙幣収納庫５に対する紙幣の収納／払い出しは行わないようにしてある。したがって、１枚の紙幣で練習ができ、そのときに、釣り銭が発生しないようにするために、積増額ボタン２ａは、その４つのボタンのうちたとえば千円、五千円、一万円用の３つのボタンだけを選択可能状態にする。
【００２３】
ここで、ＩＣカード置き台１０に練習用のＩＣカードをセットし、積増額ボタン２ａで積み増し額を指定して、紙幣入金口３から指定した金額の紙幣を挿入する。その挿入された紙幣は紙幣鑑別部４にて真偽判定が行われる。その後、リーダ・ライタ部１２は、アンテナ１１を介してＩＣカード置き台１０にセットされた練習用のＩＣカードに対して積み増しされたデータの書き込み処理を行い、挿入された紙幣を紙幣入金口３から返却する。そして、領収書ボタン２ｃが押下された場合には、印刷部７で取引内容が印刷された領収書が領収書発行口８より出力される。
【００２４】
次に、ＩＣカード用紙幣積増機１の制御部１３が行う処理動作について説明する。
図３はＩＣカード用紙幣積増機の起動時の処理動作を示すフローチャート、図４は運用モード時の処理動作を示すフローチャート、図５は練習モード時の処理動作を示すフローチャートである。
【００２５】
このＩＣカード用紙幣積増機１を起動する場合、図３に示したように、まず、電源が投入され（ステップＳ１）、各種動作状態をリセットして初期化し（ステップＳ２）、サーバ１５との通信を確立する（ステップＳ３）。その後、モード切替部９の使用モードが運用モードかどうかを判断し（ステップＳ４）、運用モードなら、操作表示部２の液晶表示器２ｄに運用カード受付許可の表示を行う（ステップＳ５）。ステップＳ４の判断でモード切替部９の使用モードが運用モードでなければ、練習モードであるかどうかを判断し（ステップＳ６）、練習モードなら、操作表示部２の液晶表示器２ｄに練習用カード受付許可の表示を行う（ステップＳ７）。ステップＳ６の判断でモード切替部９の使用モードが練習モードでなければ、それ以外の使用モードと判断し、その他の処理を行い（ステップＳ８）、ステップＳ４に戻る。ここで、運用モードおよび練習モード以外の使用モードとしては、たとえば休止モード、保守モード、管理モードなどがある。
【００２６】
ステップＳ５にて、操作表示部２の液晶表示器２ｄに運用カード受付許可の表示を行った後は、図４に示したように、ＩＣカードがＩＣカード置き台１０にセットされたかどうかを判断する（ステップＳ１１）。ＩＣカード置き台１０にＩＣカードがセットされたならば、そのセットされているＩＣカードは運用カードであるかどうかを判断する（ステップＳ１２）。この判断は、ＩＣカードに記憶されている使用区分情報を読み込み、その使用区分情報が運用カードを表す情報であるかどうかで行う。もし、ＩＣカードに記憶されている使用区分情報が運用カードを表す情報でなければ、セットされたＩＣカードは取り扱えない旨、操作表示部２の液晶表示器２ｄに表示し（ステップＳ１３）、図３のステップＳ４に戻る。
【００２７】
ＩＣカード置き台１０にセットされたＩＣカードが運用カードなら、アンテナ１１を介してリーダ・ライタ部１２がＩＣカード内の残高を表す金額情報を読み込み、その金額を操作表示部２の液晶表示器２ｄに表示する（ステップＳ１４）。
【００２８】
次に、操作表示部２の積増額ボタン２ａにより積増額が指定されたかどうかが判断され（ステップＳ１５）、たとえば所定の待ち時間内に積増額の指定がなければ、図３のステップＳ４に戻る。積増額の指定があると、次に、指定された積増額以上の紙幣入金があるかどうかが判断され（ステップＳ１６）、たとえば所定の待ち時間内に積増額を満たす紙幣入金がなければ、図３のステップＳ４に戻る。紙幣入金が確認されると、リーダ・ライタ部１２はアンテナ１１を介してＩＣカードの書き込み処理を行い、ＩＣカード内の金額に対して指定金額の積み増しを行う（ステップＳ１７）。書き込み処理が終了すると、入金処理の内容データは制御部１３によってサーバ１５に送信される（ステップＳ１８）。
【００２９】
次に、操作表示部２の積増額ボタン２ａにより指定された積増額と投入された紙幣の入金額とを比較して釣り銭があるかどうかが判断される（ステップＳ１９）。ここで、釣り銭がある場合には、たとえば紙幣収納庫５の千円用の金庫から必要枚数が払い出され、紙幣出金口より返金される（ステップＳ２０）。釣り銭がない場合には、このステップＳ２０はスキップされる。次に、操作表示部２にある領収書ボタン２ｃが押下されているかどうかが判断される（ステップＳ２１）。領収書ボタン２ｃが押下されていれば、その積み増しを行った内容が印刷部７により印字されて、領収書発行口８から出力される（ステップＳ２２）。領収書ボタン２ｃが押下されていない場合には、このステップＳ２０はスキップされ、図３のステップＳ４に戻る。
【００３０】
次に、ステップＳ７にて、操作表示部２の液晶表示器２ｄに練習用カード受付許可の表示を行った後は、図５に示したように、ＩＣカードがＩＣカード置き台１０にセットされたかどうかを判断する（ステップＳ３１）。ＩＣカード置き台１０にＩＣカードがセットされたならば、そのＩＣカードに記憶されている使用区分情報を読み込み、セットされているＩＣカードが練習用カードであるかどうかを判断する（ステップＳ３２）。この判断の結果、セットされたＩＣカードが練習用カードでなければ、そのＩＣカードは取り扱えない旨、操作表示部２の液晶表示器２ｄに表示し（ステップＳ３３）、図３のステップＳ４に戻る。
【００３１】
ＩＣカード置き台１０にセットされたＩＣカードが練習用カードなら、アンテナ１１を介してリーダ・ライタ部１２がＩＣカード内の残高を表す金額情報を読み込み、その金額を操作表示部２の液晶表示器２ｄに表示する（ステップＳ３４）。
【００３２】
次に、操作表示部２の積増額ボタン２ａにより積増額が指定されたかどうかが判断され（ステップＳ３５）、たとえば所定の待ち時間内に積増額の指定がなければ、図３のステップＳ４に戻る。積増額の指定があると、次に、指定された積増額の紙幣入金があるかどうかが判断され（ステップＳ３６）、たとえば所定の待ち時間内に積増額の紙幣入金がなければ、図３のステップＳ４に戻る。紙幣入金が確認されると、リーダ・ライタ部１２はアンテナ１１を介してＩＣカードの書き込み処理を行い、ＩＣカード内の金額に対して指定金額の積み増しを行う（ステップＳ３７）。書き込み処理が終了すると、投入された紙幣を紙幣入金口３から返金される（ステップＳ３８）。
【００３３】
次に、操作表示部２にある領収書ボタン２ｃが押下されているかどうかが判断される（ステップＳ３９）。領収書ボタン２ｃが押下されていれば、その積み増しを行った内容が印刷部７により印字されて、領収書発行口８から出力される（ステップＳ４０）。領収書ボタン２ｃが押下されていない場合には、このステップＳ２０はスキップされ、図３のステップＳ４に戻る。
【図面の簡単な説明】
【００３４】
【図１】本発明によるＩＣカード用紙幣積増機の構成を示すブロック図である。
【図２】本発明によるＩＣカード用紙幣積増機の概観正面図である。
【図３】ＩＣカード用紙幣積増機の起動時の処理動作を示すフローチャートである。
【図４】運用モード時の処理動作を示すフローチャートである。
【図５】練習モード時の処理動作を示すフローチャートである。
【符号の説明】
【００３５】
１  ＩＣカード用紙幣積増機
２  操作表示部
２ａ  積増額ボタン
２ｂ  取消ボタン
２ｃ  領収書ボタン
２ｄ  液晶表示器
３  紙幣入金口
４  紙幣鑑別部
５  紙幣収納庫
６  紙幣出金口
７  印刷部
８  領収書発行口
９  モード切替部
１０  ＩＣカード置き台
１１  アンテナ
１２  リーダ・ライタ部
１３  制御部
１３ａ  メモリ
１４  電源部
１５  サーバ
【図１】
2005190258.tif 000003
【図２】
2005190258.tif 000004
【図３】
2005190258.tif 000005
【図４】
2005190258.tif 000006
【図５】
2005190258.tif 000007